(57)【要約】【課題】動画コンテンツに関するコミュニティ情報に基づいて動画コンテンツのメタコンテンツ情報を生成することができるメタコンテンツ情報生成システムを提供する。【解決手段】情報処理部２は、コミュニティ情報入力部６ａより入力された動画コンテンツ表示部４ａにより表示される動画コンテンツに関するコミュニティ情報を取得し、取得したコミュニティ情報に動画コンテンツの経過時間情報を付加する。経過時間情報が付加されたコミュニティ情報をコミュニティ情報記憶部１４に記憶して、記憶されたコミュニティ情報をテキストマイニング分析する。次に、テキストマイニング分析による分析結果に基づいて動画コンテンツの特定画像に付加されるメタコンテンツ情報を生成し、生成されたメタコンテンツ情報をメタコンテンツ情報記憶部１６に記憶する。【選択図】  図１
2004287646.tif 000002
【特許請求の範囲】
【請求項１】
動画コンテンツを表示する表示手段と、
前記表示手段により表示される動画コンテンツに関するコミュニティ情報を入力する入力手段と、
前記コミュニティ情報に前記動画コンテンツの経過時間情報を付加する経過時間情報付加手段と、
前記経過時間情報が付加されたコミュニティ情報を記憶するコミュニティ情報記憶手段と、
前記コミュニティ情報記憶手段により記憶されたコミュニティ情報をテキストマイニング分析するテキストマイニング分析手段と、
前記テキストマイニング分析手段によりテキストマイニング分析された分析結果に基づいて前記動画コンテンツの特定画像に付加されるメタコンテンツ情報を生成するメタコンテンツ情報生成手段と、
前記メタコンテンツ情報生成手段により生成されたメタコンテンツ情報を記憶するメタコンテンツ情報記憶手段と、
を備えることを特徴とするメタコンテンツ情報生成システム。
【請求項２】
前記入力手段は、前記動画コンテンツに付加するメタコンテンツ情報の項目が割り当てられた複数の入力手段により構成され、前記各入力手段により、該入力手段に割り当てられたメタコンテンツ情報に関するコミュニティ情報が入力されることを特徴とする請求項１に記載のメタコンテンツ情報生成システム。
【請求項３】
前記テキストマイニング分析手段は、予め特定された前記動画コンテンツに付加される前記メタコンテンツ情報の項目に基づいて、前記コミュニティ情報をテキストマイニング分析することを特徴とする請求項１または請求項２に記載のメタコンテンツ情報生成システム。
【請求項４】
前記メタコンテンツ情報生成手段は、前記メタコンテンツ情報が付加される特定画像を前記コミュニティ情報に付加された前記経過時間情報に基づいて特定することを特徴とする請求項１〜請求項３の何れか一項に記載のメタコンテンツ情報生成システム。
【請求項５】
前記メタコンテンツ情報生成手段は、前記メタコンテンツ情報が付加される特定画像を前記動画コンテンツの表示を停止するポーズボタンの操作に基づいて特定することを特徴とする請求項１〜請求項３の何れか一項に記載のメタコンテンツ情報生成システム。
【請求項６】
前記特定画像は、前記動画コンテンツにおける所定の静止画像または前記動画コンテンツにおける所定の動画像であることを特徴とする請求項１〜請求項５の何れか一項に記載のメタコンテンツ情報生成システム。
【発明の詳細な説明】
【０００１】
【発明の属する技術分野】
この発明は、動画コンテンツの属性及び内容について記述した情報であるメタコンテンツ情報を生成するメタコンテンツ情報生成システムに関するものである。
【０００２】
【従来の技術】
映画、スポーツ中継番組、テレビドラマ番組等の動画コンテンツのデジタル化に伴い、そのデジタル化動画コンテンツの属性及び内容等について記述した情報であるメタコンテンツ情報を生成し、動画コンテンツに対してその生成されたメタコンテンツ情報を付加することが行われている（非特許文献１参照）。ここで、メタコンテンツ情報には、その動画コンテンツの制作者、制作年月日、放送年月日、番組タイトル、トータル時間等の動画コンテンツの属性に関する情報、その動画コンテンツの出演者、使用楽曲、場面説明等の動画コンテンツの内容に関する情報、及びその動画コンテンツ内において使用された商品、サービス等に関連する情報等付随する情報が含まれる。
【０００３】
動画コンテンツに対してメタコンテンツ情報を付加することにより、様々な要望や嗜好を持つ視聴者に対して高品質な情報提供・利用環境を提供することができるため、動画コンテンツの再利用性が格段に向上し、動画コンテンツの販売促進、動画コンテンツ内の特定場面の抽出及びその販売、または動画コンテンツから誘引することができる関連商品及びサービスの販売等が可能となる。
【０００４】
【非特許文献１】
ｈｔｔｐ：／／ｗｗｗ．ｈｏｔｅｘｐｒｅｓｓ．ｃｏ．ｊｐ／ｃｏｍｐａｎｙ／ｉｎｄｅｘ．ｈｔｍｌ
【０００５】
【発明が解決しようとする課題】
しかしながら、デジタル化動画コンテンツに対してメタコンテンツ情報を付加するには、その作業の大部分を人間による手作業で行わなくてはならない。即ち、メタコンテンツ情報の制作者が動画コンテンツを最初から最後まで視聴し、内容的情報及び時間的情報を記述することによりメタコンテンツ情報を生成しなければならない。従って、その内容的情報及び時間的情報の記述の労力とコストの増大が問題となりつつあり、動画コンテンツの販売の拡大にとって大きな障害になると考えられる。また、動画コンテンツを利用したいと思うとき、本当に欲しいコンテンツであるかどうかの特定は、動画コンテンツの内容を視聴して判断した情報でしか行えない。しかも、メタコンテンツ情報を付加した特定の人間の主観に偏らずに複数の視聴者（コミュニティ）の客観的な評価に基づいたもの（コミュニティ情報）でメタコンテンツ情報を作成できれば、その有用性をよりいっそう高いものにすることができる。
【０００６】
この発明の課題は、動画コンテンツに関する、コミュニティが作成したコミュニティ情報に基づいて動画コンテンツのメタコンテンツ情報を生成することができるメタコンテンツ情報生成システムを提供することである。
【０００７】
【課題を解決するための手段】
請求項１に記載のメタコンテンツ情報生成システムは、動画コンテンツを表示する表示手段と、前記表示手段により表示される動画コンテンツに関するコミュニティ情報を入力する入力手段と、前記コミュニティ情報に前記動画コンテンツの経過時間情報を付加する経過時間情報付加手段と、前記経過時間情報が付加されたコミュニティ情報を記憶するコミュニティ情報記憶手段と、前記コミュニティ情報記憶手段により記憶されたコミュニティ情報をテキストマイニング分析するテキストマイニング分析手段と、前記テキストマイニング分析手段によりテキストマイニング分析された分析結果に基づいて前記動画コンテンツの特定画像に付加されるメタコンテンツ情報を生成するメタコンテンツ情報生成手段と、前記メタコンテンツ情報生成手段により生成されたメタコンテンツ情報を記憶するメタコンテンツ情報記憶手段とを備えることを特徴とする。
【０００８】
この請求項１に記載のメタコンテンツ情報生成システムによれば、動画コンテンツの経過時間情報が付加されたコミュニティ情報に基づいて動画コンテンツの特定画像に付加されるメタコンテンツ情報を生成する。従って、メタコンテンツ情報を生成するための動画コンテンツの詳細な内容及び経過時間情報を記述する時間を大幅に削減することができ、速やかなメタコンテンツ情報の生成が可能となると共に、動画コンテンツの内容に関する情報がコミュニティにより作成されたものであるため、客観的なメタコンテンツ情報が生成可能となる。
【０００９】
また、請求項２に記載のメタコンテンツ情報生成システムは、前記入力手段が前記動画コンテンツに付加するメタコンテンツ情報の項目が割り当てられた複数の入力手段により構成され、前記各入力手段により、該入力手段に割り当てられたメタコンテンツ情報に関するコミュニティ情報が入力されることを特徴とする。
【００１０】
この請求項２に記載のメタコンテンツ情報生成システムによれば、予め各入力手段には動画コンテンツに付加するメタコンテンツ情報の項目が割り当てられ、各入力手段により割り当てられた項目に関するコミュニティ情報が入力されるため、入力されたコミュニティ情報から動画コンテンツに関する様々な情報を効率良く且つ偏りなく得ることができ、速やかなメタコンテンツ情報の生成が可能となる。なお、後述するように、特定の項目が割り当てられた入力手段により入力された情報しかその特定項目の情報として入力できないよう制限されるものではない。
【００１１】
また、請求項３に記載のメタコンテンツ情報生成システムは、前記テキストマイニング分析手段が予め特定された前記動画コンテンツに付加される前記メタコンテンツ情報の項目に基づいて、前記コミュニティ情報をテキストマイニング分析することを特徴とする。
【００１２】
この請求項３に記載のメタコンテンツ情報生成システムによれば、予め特定された動画コンテンツに付加されるメタコンテンツ情報の項目の割り当てられた入力手段により入力されたコミュニティ情報を抽出しテキストマイニング分析するため、速やかなメタコンテンツ情報の生成が可能となる。
【００１３】
また、請求項４に記載のメタコンテンツ情報生成システムは、前記メタコンテンツ情報生成手段が前記メタコンテンツ情報を付加する特定画像を前記コミュニティ情報に付加された前記経過時間情報に基づいて特定することを特徴とする。
【００１４】
また、請求項５に記載のメタコンテンツ情報生成システムは、前記メタコンテンツ情報生成手段が前記メタコンテンツ情報を付加する特定画像を前記動画コンテンツの表示を停止するポーズボタンの操作に基づいて特定することを特徴とする。
【００１５】
また、請求項６に記載のメタコンテンツ情報生成システムは、前記特定画像が前記動画コンテンツにおける所定の静止画像または前記動画コンテンツにおける所定の動画像であることを特徴とする。
【００１６】
この請求項４〜請求項６に記載のメタコンテンツ情報生成システムによれば、生成されたメタコンテンツ情報を動画コンテンツにおける適切な特定画像に付加することができる。
【００１７】
【発明の実施の形態】
以下、図面を参照して、この発明の実施の形態について説明する。図１は、実施の形態にかかるメタコンテンツ情報生成システムのブロック構成図である。この図に示すように、メタコンテンツ情報生成システムは、動画コンテンツに付加するためのメタコンテンツ情報を生成するための処理を行なう情報処理部２を備えている。ここで、メタコンテンツ情報には、例えばその動画コンテンツがテレビドラマであった場合には、そのテレビドラマの制作者、制作年月日、放送年月日、ビデオ化年月日、番組名、スポンサー名、トータル時間等の動画コンテンツの属性に関する情報、更に出演者、使用楽曲、場面説明等の動画コンテンツの内容に関する情報、及びそのテレビドラマで使用される商品、サービス等に関連する情報等のテレビドラマに付随する情報が含まれる。
【００１８】
また、情報処理部２には、視聴システム１０ａ，１０ｂ，１０ｃ…が接続されている。ここで、視聴システム１０ａには、メタコンテンツ情報を付加する動画コンテンツが表示される動画コンテンツ表示部４ａ、メタコンテンツ情報を生成するためのコミュニティ情報を入力するコミュニティ情報入力部６ａ、及び動画コンテンツの表示を停止するためのポーズボタン８ａが備えられている。なお、視聴システム１０ｂ，１０ｃ…にも、同様に、動画コンテンツ表示部４ｂ，４ｃ…、コミュニティ情報入力部６ｂ，６ｃ…、及びポーズボタン８ｂ，８ｃ…が備えられている。
【００１９】
ここで、コミュニティ情報とは、視聴者により入力される動画コンテンツに関する情報のことである。例えば、その動画コンテンツがテレビドラマであった場合には、そのテレビドラマに出演している出演者、その出演者の登場場所、その出演者が身につけている商品、背景、背景に流れている音楽等の情報について、複数の視聴者によりインターネット上で交わされた会話入力または視聴者によりコメント入力された情報のことである。なお、視聴者とは、メタコンテンツ情報が付加されビデオ化される等により販売されている動画コンテンツの属性及び内容に精通している者のことである。視聴者は、メタコンテンツ情報が付加されビデオ化される等により動画コンテンツが販売される前に、メタコンテンツ情報を生成するためのその動画コンテンツを視聴する。
【００２０】
また、情報処理部２には、視聴システム１０ａ，１０ｂ，１０ｃ…の動画コンテンツ表示部４ａ，４ｂ，４ｃ…に表示される動画コンテンツが記憶されている動画コンテンツ記憶部１２、視聴システム１０ａ，１０ｂ，１０ｃ…のコミュニティ情報入力部６ａ，６ｂ，６ｃ…により入力されるコミュニティ情報が記憶されるコミュニティ情報記憶部１４、コミュニティ情報に基づいて生成されるメタコンテンツ情報が記憶されるメタコンテンツ情報記憶部１６、及び生成されるメタコンテンツ情報を構成する項目が記憶されているメタコンテンツ情報の項目記憶部１８が接続されている。例えば、生成されるメタコンテンツ情報が付加される動画コンテンツがテレビドラマであった場合には、そのテレビドラマの制作年月日、放送年月日、ビデオ化年月日、番組名、スポンサー名、トータル時間、出演者、制作者、使用楽曲、場面、使用される商品、使用されるサービス等がメタコンテンツ情報を構成する項目として、メタコンテンツ情報の項目記憶部１８に記憶されている。
【００２１】
次に、図２に示すフローチャートを参照して、この実施の形態にかかるメタコンテンツ情報生成システムのコミュニティ情報取得処理について説明する。
【００２２】
まず、図２に示すように、情報処理部２は、動画コンテンツ記憶部１２に記憶されている動画コンテンツの中から表示すべき動画コンテンツを読み込む（ステップＳ１０）。次に、各視聴者に動画コンテンツを視聴させるために、視聴システム１０ａ，１０ｂ，１０ｃ…の動画コンテンツ表示部４ａ，４ｂ，４ｃ…においてその動画コンテンツを表示する（ステップＳ１１）。
【００２３】
各視聴者はステップＳ１１において表示される動画コンテンツを視聴し、その動画コンテンツに関する情報をコミュニティ情報入力部６ａ，６ｂ，６ｃ…から入力する。情報処理部２は、各視聴者により入力されたその動画コンテンツに関する情報のテキストデータをコミュニティ情報として取得する（ステップＳ１２）。なお、コミュニティ情報の入力は、視聴者が表示されている動画コンテンツの視聴を行いながら他の視聴者と動画コンテンツに関して会話入力することにより行なうことができる。また、コミュニティ情報の入力は、視聴者がポーズボタン８ａ，８ｂ，８ｃ…を使用することにより動画コンテンツの表示を停止してその停止された特定画像に関する情報をコメント入力することにより行なうこともできる。なお、ポーズボタン８ａ，８ｂ，８ｃ…を使用することにより動画コンテンツの表示を停止した場合においても、その停止された特定画像に関する情報を他の視聴者と会話入力するようにしてもよい。
【００２４】
また、コミュニティ情報の入力は、各視聴者がメタコンテンツ情報の項目を割り当てられ、割り当てられたメタコンテンツ情報に関する情報を入力することにより行なうこともできる。例えば、動画コンテンツがテレビドラマだった場合には、ある視聴者には出演者に関するメタコンテンツ情報の項目を予め割り当て、他の視聴者には背景に流れている音楽等に関するメタコンテンツ情報の項目を予め割り当てる等、各視聴者にメタコンテンツ情報の項目を割り当て、各視聴者は、割り当てられたメタコンテンツ情報に関するコミュニティ情報を各自入力する。なお、コミュニティ情報の入力を行う場合に、各視聴者にメタコンテンツ情報の項目を割り当てることなく、各視聴者が動画コンテンツに関するメタコンテンツ情報の全ての項目についてのコミュニティ情報を入力するようにしてもよい。
【００２５】
次に、情報処理部２は、コミュニティ入力部６ａ，６ｂ，６ｃ…により入力されたコミュニティ情報に動画コンテンツの経過時間情報、即ち動画コンテンツの先頭部分からの時間情報を付加する（ステップＳ１３）。即ち、視聴者が他の視聴者と動画コンテンツに関して会話入力することによりコミュニティ情報が入力された場合には、会話入力を始めた時の動画コンテンツ経過時間情報及び会話入力を終了した時の動画コンテンツ経過時間情報をそのコミュニティ情報に付加する。また、視聴者がポーズボタン８ａ，８ｂ，８ｃ…を使用することにより動画コンテンツの表示を停止してその停止された特定画像に関する情報をコミュニティ情報として入力した場合には、動画コンテンツの表示を停止した時の動画コンテンツの経過時間情報をそのコミュニティ情報に付加する。次に、情報処理部２は、経過時間情報を含むコミュニティ情報を文章（テキスト）データとしてコミュニティ情報記憶部１４に記憶する（ステップＳ１４）。
【００２６】
次に、図３に示すフローチャートを参照して、この実施の形態にかかるメタコンテンツ情報生成システムのメタコンテンツ情報生成処理について説明する。
【００２７】
まず、情報処理部２は、メタコンテンツ情報の項目記憶部１８に記憶されているメタコンテンツ情報の項目より予め特定されているメタコンテンツ情報の項目を読み込む（ステップＳ２０）。例えば、動画コンテンツがテレビドラマだった場合には、予め特定されているメタコンテンツ情報の項目である出演者、背景、背景に流れている音楽、使用されている商品等を読み込む。
【００２８】
次に、図２のステップＳ１４において、コミュニティ情報記憶部１４に記憶されたコミュニティ情報の文章データを読み込む（ステップＳ２１）。次に、情報処理部２は、ステップＳ２０において読み込まれたメタコンテンツ情報の項目に基づいて、ステップＳ２０において読み込まれたコミュニティ情報の文章データをテキストマイニング分析する（ステップＳ２２）。即ち、情報処置部２がテキストマイニング分析手段として機能する。ここで、テキストマイニング分析とは、形式化されていない文章データを分析し、役に立つ知識及び情報を取り出すことである。即ち、ステップＳ２１において読み込まれたコミュニティ情報の文章データより、ステップＳ２０において読み込まれたメタコンテンツ情報の項目に関連する単語及び文章を含む情報を付加されている経過時間情報と共に抽出する。
【００２９】
次に、情報処理部２は、ステップＳ２２においてテキストマイニング分析された分析結果に基づいて、動画コンテンツの特定画像に付加されるメタコンテンツ情報を生成する（ステップＳ２３）。即ち、情報処理部２がメタコンテンツ情報生成手段として機能する。ここで、メタコンテンツ情報の生成は、メタコンテンツ情報の項目に関連する単語及び文章を付加されている経過時間情報に基づいて分類し生成する。即ち、経過時間情報が同一のメタコンテンツ情報の項目に関連する単語及び文章、または経過時間情報が近いメタコンテンツ情報の項目に関連する単語及び文章を一つの群として、メタコンテンツ情報の項目に該当する単語の抽出等をすることによりメタコンテンツ情報の生成を行う。そして、経過時間情報に基づいて、生成されたメタコンテンツ情報が付加される動画コンテンツにおける特定画像（静止画像または動画像）を特定する。
【００３０】
なお、図２のステップＳ１２においてポーズボタン８ａ，８ｂ，８ｃ…を使用することにより動画コンテンツの表示を停止し、コミュニティ情報の入力を行った場合には、ポーズボタン８ａ，８ｂ，８ｃ…の操作により付加された経過時間情報における動画コンテンツにおける画像（静止画像）がメタコンテンツ情報を付加する特定画像とされる。次に、ステップＳ２３において生成されたメタコンテンツ情報をメタコンテンツ情報記憶部１６に記憶する（ステップＳ２４）。
【００３１】
この実施の形態にかかるメタコンテンツ情報生成システムによれば、複数の視聴者から視聴システムを介して入力されるコミュニティ情報に基づいてメタコンテンツ情報を生成することができるため、動画コンテンツに対してメタコンテンツ情報を付加する際に、メタコンテンツ情報の制作者が動画コンテンツを最初から最後まで視聴しその動画コンテンツの詳細な内容及び経過時間情報を記述するための時間を削減することができる。従って、動画コンテンツに付加されるメタコンテンツ情報を短時間で生成することができる。また、動画コンテンツの内容に関する情報がコミュニティにより作成されたものであるため、客観的なメタコンテンツ情報を生成することができる。
【００３２】
なお、上述の実施の形態においては、メタコンテンツ情報が付加される動画コンテンツの属性及び内容に精通している視聴者によりコミュニティ情報の入力が行なわれたが、動画コンテンツの属性及び内容に精通していなくとも一般的な知識を有する視聴者によりコミュニティ情報の入力が行われてもよい。
【００３３】
【発明の効果】
この発明のメタコンテンツ情報生成システムによれば、動画コンテンツの経過時間情報が付加されたコミュニティ情報に基づいて動画コンテンツの特定画像に付加されるメタコンテンツ情報を生成する。従って、メタコンテンツ情報を生成するために、メタコンテンツ情報の制作者が動画コンテンツを最初から最後まで視聴し、その動画コンテンツの詳細な内容及び経過時間情報を記述する時間を大幅に削減することができ、速やかにメタコンテンツ情報を生成することができる。また、動画コンテンツの内容に関する情報がコミュニティにより作成されたものであるため、客観的なメタコンテンツ情報を生成することができる。
【図面の簡単な説明】
【図１】この発明の実施の形態にかかるメタコンテンツ情報生成システムのブロック構成図である。
【図２】この発明の実施の形態にかかるメタコンテンツ情報生成システムのコミュニティ情報取得処理を示すフローチャートである。
【図３】この発明の実施の形態にかかるメタコンテンツ情報生成システムのメタコンテンツ情報生成処理を示すフローチャートである。
【符号の説明】
２…情報処理部、４ａ，４ｂ，４ｃ…動画コンテンツ表示部、６ａ，６ｂ，６ｃ…コミュニティ情報入力部、８ａ，８ｂ，８ｃ…ポーズボタン、１０ａ，１０ｂ，１０ｃ…視聴システム、１２…動画コンテンツ記憶部、１４…コミュニティ情報記憶部、１６…メタコンテンツ情報記憶部、１８…メタコンテンツ情報の項目記憶部。
【図１】
2004287646.tif 000003
【図２】
2004287646.tif 000004
【図３】
2004287646.tif 000005